(57)【要約】【課題】アイロン本体とスタンドを小型化し、使い勝手の良いアイロン装置を提供する。【解決手段】アイロン本体２と、アイロン本体２を載置する載置部２１を有するスタンド３からなり、アイロン本体２は、ヒータ部５で加熱されるベース４と、ヒータ部５と電気的に接続された給電端子９を有する給電ピン１２を備え、スタンド３は、アイロン本体２を載置部２１に載置した時に給電端子９と電気的に接続される電極２３を有する第１の接続部２４と、商用電源と第１の接続部２４とを電気的に接続する第２の接続部２６とを備え、給電ピン１２をベース４側に垂下させて設けたもので、アイロン本体２をスタンド３にセットする際、ベース４面を下にして移動でき、しかも給電ピン１２と第１の接続部２４が電気的に接続され、第２の接続部２６が第１の接続部２６と電源コード２８とを電気的に接続してはじめてベース４のヒータ部５に通電されるので、安全である。【選択図】図４
2005334415.tif 000002
【特許請求の範囲】
【請求項１】
アイロン本体と、前記アイロン本体を載置する載置部を有するスタンドからなり、前記アイロン本体は、ヒータ部により加熱されるベースと、前記ヒータ部と電気的に接続された給電端子を有する給電ピンを備え、前記スタンドは、前記アイロン本体を前記載置部に載置した時に前記給電端子と電気的に接続される電極を有する第１の接続部と、同じく前記アイロン本体を前記載置部に載置した時に商用電源と前記第１の接続部とを電気的に接続する第２の接続部とを備え、前記給電ピンを前記ベース側に垂下させて設けたことを特徴とするアイロン装置。
【請求項２】
ベースの略中央に突起を垂下し、前記アイロン本体を前記載置部に載置した時に前記突起により第２の接続部を動作させるようにしたことを特徴とする請求項１に記載のアイロン装置。
【請求項３】
第２の接続部を、第１の接続部より下方に配設した請求項１又は２に記載のアイロン装置。
【請求項４】
第２の接続部は、第１の接続部より後に電気的に接続されるようにした請求項１〜３のいずれか１項に記載のアイロン装置。
【請求項５】
ベースの略中央に給電ピンを配設した請求項１〜４のいずれか１項に記載のアイロン装置。
【請求項６】
アイロン本体の重心の略中央に給電ピンと突起とを配設した請求項１〜５のいずれか１項に記載のアイロン装置。
【発明の詳細な説明】
【技術分野】
【０００１】
本発明は、衣類等のしわ伸ばしを行うアイロン装置に関するものである。
【背景技術】
【０００２】
従来、この種のアイロン装置として、アイロン本体の後部に給電端子を有した給電ピンを形成し、スタンド上面に、前記給電ピンと電気的に接続する電極を有する給電部を形成し、アイロン本体を立てた状態で電気的に接続して、ベースを加熱するようにしたものがある（例えば特許文献１参照）。
【０００３】
図５は、前記特許文献に記載された従来のアイロン装置を示すものである。以下その構成について説明する。
【０００４】
アイロン本体３１の後部には、ヒータ（図示せず）とサーモスタット（図示せず）とを電気的に直列に接続した棒状の給電ピン３２が設けられている。一方、前記アイロン本体３１の後部が嵌合挿入される凹部３３を有したスタンド３４には、前記給電ピン３２と対応する位置に同給電ピン３２と接合して電気を伝達する棒状の給電部３５が設けられ、常時バネ３６により給電ピン３２側に付勢され、接点の接圧が確保されるように構成されている。また、前記給電部３５はスタンド３４に固定された電源コード３７と電気的に接続させたものである。
【０００５】
以上のように構成されたアイロン装置について、その動作を説明する。アイロン本体３１の後部をスタンド３４に設けた凹部３３に嵌合挿入させると、アイロン本体３１後部に設けられた給電ピン３２とスタンド３４に設けられた給電部３５とが電気的に接続されることにより、アイロン本体３１に内蔵されたヒータとサーモスタットによりベース３８を設定された温度まで加熱することができ、設定温度に到達した後スタンド３４からアイロン本体３１を分離させてアイロンかけを行うことができ、温度が低下するとアイロン本体３１を再びスタンド３４に戻してベース３８を再加熱させるものである。以降この動作を繰り返すことによりコードレスアイロンとして使用するものである。
【特許文献１】特開昭６３−１３２７００号公報
【発明の開示】
【発明が解決しようとする課題】
【０００６】
しかしながら、上記従来のアイロン装置では、ベース３８を加熱するためにアイロン本体３１を垂直に立てた状態で、スタンド３４上に形成した台形状の給電部３５にセットする必要があり、セットし辛く使い勝手が非常に悪いものであった。また、給電中は加熱されたベース３８の表面が露出しているために常に安全性に気を配りながらアイロンかけする必要があった。また、省スペース化を実現するために、給電部３５への異物侵入防止のシャッターが形成されていない代わりにマイクロスイッチ等の部品を追加することにより安全性を確保していたがコストアップの要因となっていた。
【０００７】
本発明は、前記従来の課題を解決するもので、アイロン本体とスタンドの小型化を実現し、使い勝手の良いアイロン装置を提供することを目的とする。
【課題を解決するための手段】
【０００８】
前記従来の課題を解決するために、本発明のアイロンは、アイロン本体と、前記アイロン本体を載置する載置部を有するスタンドからなり、前記アイロン本体は、ヒータ部により加熱されるベースと、前記ヒータ部と電気的に接続された給電端子を有する給電ピンを備え、前記スタンドは、前記アイロン本体を前記載置部に載置した時に前記給電端子と電気的に接続される電極を有する第１の接続部と、同じく前記アイロン本体を前記載置部に載置した時に商用電源と前記第１の接続部とを電気的に接続する第２の接続部とを備え、前記給電ピンを前記ベース側に垂下させて設けたもので、使用者がアイロン本体をスタンドにセットする場合には、ベース面を下側に向けたまま移動させることができ、しかもアイロン本体側の給電ピンとスタンド側の第１の接続部が電気的に接続され、第２の接続部により第１の接続部と商用電源とが電気的に接続されてはじめてベースに埋設されたヒータ部が加熱されるので、安全性と使い勝手の向上と省スペースを実現することができる。
【発明の効果】
【０００９】
本発明のアイロン装置は、コードレスアイロンとしてのアイロンかけ、スタンドへセットしたときの安全性、使い勝手、省スペース化を可能としたアイロンを実現することができる。
【発明を実施するための最良の形態】
【００１０】
第１の発明は、アイロン本体と、前記アイロン本体を載置する載置部を有するスタンドからなり、前記アイロン本体は、ヒータ部により加熱されるベースと、前記ヒータ部と電気的に接続された給電端子を有する給電ピンを備え、前記スタンドは、前記アイロン本体を前記載置部に載置した時に前記給電端子と電気的に接続される電極を有する第１の接続部と、同じく前記アイロン本体を前記載置部に載置した時に商用電源と前記第１の接続部とを電気的に接続する第２の接続部とを備え、前記給電ピンを前記ベース側に垂下させて設けたもので、使用者がアイロン本体をスタンドにセットする場合には、ベース面を下側に向けたまま移動させることができ、しかもアイロン本体側の給電ピンとスタンド側の第１の接続部が電気的に接続され、第２の接続部により第１の接続部と商用電源とが電気的に接続されてはじめてベースに埋設されたヒータ部が加熱されるので、安全性と使い勝手の向上と省スペースを実現することができる。
【００１１】
第２の発明は、特に、第１の発明のベースの略中央に突起を垂下し、前記アイロン本体を前記載置部に載置した時に前記突起により第２の接続部を動作させるようにしたもので、使用者がアイロン本体をスタンドにセットする場合には、ベース面を下側に向けたまま移動させることができ、アイロン本体側の給電ピンとスタンド側の第１の接続部が電気的に接続され、さらにアイロン本体の略中央に設けられた突起により第２の接続部が動作し第１の接続部と商用電源とが電気的に接続されてはじめてベースに埋設されたヒータ部が加熱されるので、安全性と使い勝手の向上と省スペースを実現することができる。
【００１２】
第３の発明は、特に、第１又は第２の発明の第２の接続部を、第１の接続部より下方に配設したもので、使用者がアイロン本体をスタンドにセットする場合には、ベース面を下側に向けたまま移動させることができ、アイロン本体側の給電ピンとスタンド側の第１の接続部が電気的に接続され、スタンドへのセット動作の延長上で第２の接続部が動作し、第１の接続部と商用電源とが電気的に接続されてはじめてベースに埋設されたヒータ部が加熱されるので、安全性と使い勝手の向上と省スペースを実現することができる。
【００１３】
第４の発明は、特に、第１〜３のいずれか１つの発明の第２の接続部は、第１の接続部より後に電気的に接続されるようにしたもので、使用者がアイロン本体をスタンドにセットする場合には、ベース面を下側に向けたまま移動させることができ、アイロン本体側の給電ピンとスタンド側の第１の接続部が電気的に接続され、次に、第２の接続部により第１の接続部と商用電源とが電気的に接続されてはじめてベースに埋設されたヒータ部が加熱されるので、安全性と使い勝手の向上と省スペースを実現することができる。
【００１４】
第５の発明は、特に、第１〜４のいずれか１つの発明のベースの略中央に給電ピンを配設したもので、使用者がアイロン本体をスタンドにセットする場合には、方向性を気にする必要がなく任意の位相角度でセットすることができる。
【００１５】
第６の発明は、特に、第１〜５のいずれか１つの発明のアイロン本体の重心の略中央に給電ピンと突起とを配設したもので、使用者がアイロン本体をスタンドにセットする場合には、第１の接続部と第２の接続部に平均的に接圧がかかることから安定した電力供給が可能であり、同時にベース面を下側に向けたまま移動させることができるため、アイロン本体側の給電ピンとスタンド側の第１の接続部が電気的に接続され、さらに第２の接続部により第１の接続部と商用電源とが電気的に接続されてはじめてベースに埋設されたヒータ部が加熱されるので、安全性と使い勝手の向上と省スペースを実現することができる。
【００１６】
以下、本発明の実施の形態について、図面を参照しながら説明する。なお、本実施の形態によって本発明が限定されるものではない。
【００１７】
（実施の形態１）
図１は、本発明の第１の実施の形態におけるアイロン装置のアイロン本体の横断面図、図２はヒータ部付近の横断面拡大図、図３はスタンドの横断面図である。
【００１８】
図１、２において、２はアイロン本体で、内外周を同心円で形成し中央部をくり抜くことで凹部４ａを設けたベース４の上に、ベース４同様に中央部をくり抜いた略円形状のヒータ部５、円形状のベースカバー６、半球状の中間カバー７、側面に握り部（図示せず）を形成した半球状の表面カバー８を順に略同軸上に重ねたものであり、先端に給電端子９を機械的に締結させた給電用の給電ピン１２をベース４下面より上方に位置させ、かつベース４中央部に設けた空洞部１０よりベース４側に垂下させ、さらに空洞部１０の下方側を、略中央に突起１３を形成した把手裏板１１で塞いだものである。
【００１９】
ヒータ部５は、図２に示すように、ヒータ脇マイカ１４、熱線１５を巻き付けたヒータ巻きマイカ１６、ヒータ押え板１７により構成されており、ベース４の上にヒータ脇マイカ１４、ヒータ巻きマイカ１６、ヒータ脇マイカ１４、ヒータ押え板１７の順に積み上げられている。そして、ヒータ押え板１７の上方には、ヒータ部５による加熱温度の上限値を決定するサーモスタット１８と温度ヒューズ１９、およびヒータ部５に通電される時などに点灯するランプ２０とが備えられている。
【００２０】
図３は、スタンド３の断面図を示すもので、スタンド３の外郭は熱可塑性樹脂で成型され、アイロン本体２を載置する載置部２１を円形状とし、略中央に載置部２１と同心円の給電部２２を突出配置させ、その給電部２２の上面を載置部２１の上面よりも上位になるように配置し、給電部２２内部には電極２３を取り付けた第１の接続部２４を備えており、この第１の接続部２４は昇降バネ２５により上方向に付勢されており、第１の接続部２４の下方には第２の接続部２６が配置されており、第１の接続部２４と第２の接続部２６は電気的に接続されており、第２の接続部２６下方にある電極２７は、商用電源となる電源コード２８に接続されている。
【００２１】
なお、本実施の形態では、ベース４の形状を円形としているため、アイロン本体２の重心がベース４の中央とほぼ一致している。
【００２２】
以上のように構成されたアイロン装置について、以下その動作、作用を説明する。
【００２３】
まず、使用者はアイロン本体２の表面カバー８を掴みながらアイロンかけを行うため、従来のアイロンのような棒状の握り部が必要なくアイロン本体２の小型化を実現できるものである。
【００２４】
また、アイロン本体２には電源コード２８がついておらず、ベース４外周が円形であることや表面カバー８が半球状であることから、使用者はアイロンを掛ける際に方向性を気にする必要がなく、かつ、握り部（図示せず）の形状が従来のような棒状でなく、掌全体で表面カバー８を保持して作業できることから、力の弱い子供やお年寄りにとっても使い易いアイロン装置を提供できるものである。
【００２５】
そして、アイロン本体２のベース４の温度が低下すると再度加熱するためにスタンド３へ戻すことになる。アイロン本体２をスタンド３に戻す際に、使用者にとってアイロン本体２内にある給電ピン１２の位置がわかりにくくなっているが、スタンド３中央に設けた給電部２２が載置部２１の上面よりも突出させているので目標となり、かつ、ベース４内壁及びベースカバー６内壁により給電部２２をガイドしながら誘導し、最終的に給電部２２上面に把手裏板１１を鉛直方向より載置することにより、アイロン本体２の給電端子９とスタンド３の第１の接続部２４の電極２３とが電気的に接続され、続けてアイロン本体２の自重により把手裏板１１に設けた突起１３が第２の接続部２６を下方に押し下げ、電源コード２８に接続された電極２７と電気的に接続される。
【００２６】
また、載置部２１及び給電部２２が同心の円形状としているため、使用者は任意の位相角度でアイロン本体２をスタンド３に載置することができ、使用する時に持ちやすい向きに回してからアイロン本体２を持つことができるようにしてある。
【００２７】
なお、アイロン本体２、スタンド３の両方の外周形状を略正多角形状にしても良い。この形状の場合は、アイロン本体２をスタンド３に載せられる向きは多少限られる反面、載せた状態で不用意に回転してしまうのを防止することができる。
【００２８】
更に、加熱されたベース４は、熱可塑性樹脂で形成されたスタンド３に接触することがないので、樹脂表面温度の低減を可能にすると同時に、載置部２１側面でベース４を覆い隠すことから、高温となったベース４に不用意に触れてしまうことを完全に防止でき、極めて安全なアイロン装置とすることができる。
【００２９】
また、アイロン本体２に設けた把手裏板１１をスタンド３上に形成した給電部２２で保持し、同時にベース４下面部が給電部２２上面よりも下方に位置することから、給電端子９を先端に備えた給電ピン１２にアイロン本体２の自重が加わり、長期間にわたる使用において昇降バネ２５のバネ性が劣化した場合でも、電極２３との接触圧を十分確保することができ、安定した電力供給を可能にするものである。
【００３０】
また、アイロン掛けが終了した時は、アイロン本体２をスタンド３に収納するが、この時アイロン装置１は図４に示すように球状をなしており、コンパクトに纏め上げただけでなく、アイロン装置１が球状となっていることからインテリアとして違和感のない形状のため、収納の必要性を感じさせないものである。
【産業上の利用可能性】
【００３１】
以上のように、本発明にかかるアイロン装置は、コードレスアイロンとしてのアイロンかけ、スタンドへセットしたときの安全性、使い勝手に優れ、しかも省スペース化ができるので、衣類等のしわ伸ばしを行うアイロン装置に限らず、コードレスの各種熱器具にも広く適用できるものである。
【図面の簡単な説明】
【００３２】
【図１】本発明の実施の形態１におけるアイロン装置のアイロン本体の横断面図
【図２】同アイロン装置のヒータ部付近の横断面拡大図
【図３】同アイロン装置のスタンドの横断面図
【図４】同アイロン装置の横断面図
【図５】従来のアイロン装置の横断面図
【符号の説明】
【００３３】
２  アイロン本体
３  スタンド
４  ベース
５  ヒータ部
９  給電端子
１２  給電ピン
１３  突起
２１  載置部
２２  給電部
２３  電極
２４  第１の接続部
２６  第２の接続部
２７  電極
２８  電源コード（商用電源）
【図１】
2005334415.tif 000003
【図２】
2005334415.tif 000004
【図３】
2005334415.tif 000005
【図４】
2005334415.tif 000006
【図５】
2005334415.tif 000007